(57)【特許請求の範囲】
【請求項１】
陳列棚等の什器に取り付けたほぼ水平の灯具取付レールに、灯具支持金具を複数個取り付け、これら灯具支持金具に灯具を架設してなる灯具支持装置において、
前記灯具支持金具に、灯具を支持する灯具支持部を前後２列に形成し、さらに灯具取付レールを、下面が開口するほぼ下向き実質的にＣ字形断面のものとし、この灯具取付レールの下面開口の幅より小寸の短辺と、この灯具取付レールの内寸幅よりも短いが、これに近い寸法の長辺とを有する水平係止部と、その下方に連続する灯具支持部とよりなる少なくとも２個の灯具支持金具を、前記水平係止部の長辺を前記灯具取付レールの幅方向に向けて、前記灯具取付レール内に載置し、かつこれらの灯具支持金具の前後２列の灯具支持部のそれぞれに、灯具を載置して支持したことを特徴とする灯具支持装置。
【請求項２】
前後２列の灯具支持部を、互いに高さをずらして設けた請求項１記載の灯具支持装置。
【請求項３】
前後２列の灯具支持部に、前部の灯具を前向きとし、かつ後部の灯具を下向きとして取り付けた請求項１または２に記載の灯具支持装置。
【発明の詳細な説明】
【０００１】
【発明の属する技術分野】
本発明は、什器における灯具支持装置、特に店舗等で使用される陳列棚のパラペット等の内部に、灯具を支持する装置に関する。
【０００２】
【従来の技術】
従来店舗等で使用されている陳列棚には、例えば特開平8−256884号公報及び特開平9−206186号公報等に記載されているようなものがある。
図６に示すこの種の陳列棚(Ａ)の天板装置(１)は、支柱(２)の前面に形成した上下方向に並ぶ多数の係止孔(2a)に、図７に示す前方に突出するブラケット(３)の後端に形成したフック(3a)を係合させて取り付け、ブラケット(３)の上端に上面板(４)を取り付け、上面板(４)の下面に、左右方向に延びる灯具(５)をねじ(5a)により締着している。
なお、図６において、符号(６)は、格子状の白色合成樹脂からなるルーバ、符号(７)は、透光性材料板(7a)に、陳列棚に陳列される商品名や商品分類等が記されるサインボード、符号(８)は、ブラケット(３)を隠す側面カバーを示す。
【０００３】
また、上面板(４)の下面に、下方に向かってＬ字状に延出するブラケット（図示略）の上端部をねじ止めし、その下端部の水平片の下面に、灯具(５)をねじ止めすることもある。
【０００４】
【発明が解決しようとする課題】
上述のような従来のものにおいては、灯具(５)を１個ずつ、上面板(４)やそれに固着したブラケット等にねじ止めしていたので、灯具(５)の取付け作業が面倒であり、また、陳列商品の変更、サインボード(７)の変更、あるいは陳列棚自体のレイアウトの変更等に伴って、灯具(５)のレイアウトを変更したいような場合、その灯具(５)の取付位置を変更するのが難しいという問題がある。
【０００５】
本発明は、従来の技術が有する上記のような問題点に鑑み、複数の灯具を簡単に支持することができるとともに、灯具の取付位置の変更やレイアウトの変更が容易に行なえるようにした灯具支持装置を提供することを目的としている。
【０００６】
【課題を解決するための手段】
本発明によると、上記課題は、次のようにして解決される。
(１)  陳列棚等の什器に取り付けたほぼ水平の灯具取付レールに、灯具支持金具を複数個取り付け、これら灯具支持金具に灯具を架設してなる灯具支持装置において、前記灯具支持金具に、灯具を支持する灯具支持部を前後２列に形成し、さらに灯具取付レールを、下面が開口するほぼ下向き実質的にＣ字形断面のものとし、この灯具取付レールの下面開口の幅より小寸の短辺と、この灯具取付レールの内寸幅よりも短いが、これに近い寸法の長辺とを有する水平係止部と、その下方に連続する灯具支持部とよりなる少なくとも２個の灯具支持金具を、前記水平係止部の長辺を前記灯具取付レールの幅方向に向けて、前記灯具取付レール内に載置し、かつこれらの灯具支持金具の前後２列の灯具支持部のそれぞれに、灯具を載置して支持する。
【０００７】
(２)  上記(１)項において、前後２列の灯具支持部を、互いに高さをずらして設ける。
【０００８】
(３)  上記(１)項または（２）項において、前後２列の灯具支持部に、前部の灯具を前向きとし、かつ後部の灯具を下向きとして取り付ける。
【０００９】
【発明の実施の形態】
本発明は、照明付きの什器一般に適用し得るものであるが、ここでは、店舗等に用いられる陳列棚(Ａ)の天板装置(１)用の灯具支持装置の実施形態を、図１〜図５を参照して説明する。
【００１０】
図１の分解斜視図に示すように、陳列棚(Ａ)の支柱(２)の上端部には、その前面に穿設した２列の多数の係合孔(2a)の上方のものにブラケット(３)の後端に突設したフック(3a)を係合させることにより、ブラケット(３)が前方を向くようにして取り付けられている。
【００１１】
ブラケット(３)の前端には、サインボード(７)を取り付けるための下方に延びる取付部(3b)が、また、上端には、灯具取付レール(10)の取付のための任意適当な手段、すなわち、灯具取付レール(10)の左右の端部に形成された下向きの折れ曲がり片(10a)を支持する長めの浅い溝(3c)が、それぞれ形成されている。
【００１２】
灯具取付レール(10)は、図３及び図４に示すように、ほぼ下向きＣ字形の断面を有するもので、本実施形態においては、下面中央が下方に開口するほぼ角管状としてある。すなわち、下面には、その両側に水平張り出し部(10b)が対向して形成され、これら水平張り出し部(10b)の間に、開口が左右方向に延びている。
【００１３】
図１及び図２において、灯具取付レール(10)のすぐ下方に、灯具支持金具(11)が示されている。
灯具支持金具(11)は、図３及び図４に示すように、灯具取付レール(10)の下面開口の幅(a)より小寸の短辺(b)と、開口の幅(a)より大で、かつ灯具取付レール(10)の内寸幅(c)よりも短いが、これに近い寸法の長辺(d)とを有する水平係止部(11a)と、その下方に連続する前後２つの灯具支持部(11b)とよりなり、水平係止部(11a)は、灯具取付レール(10)の内部に収まる高さとしてあり、２つの灯具支持部(11b)は、同じ高さ位置において前後に分かれ、それぞれ直管形の蛍光灯(12)を取り付ける直線状の灯具(５)を載置するに充分な水平部分からなっている。
【００１４】
この天板装置(１)の組立に当たっては、まず、左右の支柱(２)の上端の係合孔(2a)にブラケット(３)の後部のフック(3a)を引っかけて固定し、これら２つのブラケットの上端の溝(3c)に、灯具取付レール(10)の左右端の折れ曲がり片(10a)を引っかけて、灯具取付レール(10)をブラケット(３)に取り付ける。
【００１５】
ついで、Ｃ字形断面の灯具取付レール(10)の下面の開口に、灯具支持金具(11)の上部の水平係止部(11a)を、その長辺(d)を灯具取付レール(10)の左右方向に向けて、図２及び図３に示すように、下方から下面の開口に差し入れる。
【００１６】
水平係止部(11a)の短辺(b)は、灯具取付レール(10)の下面開口の幅(a)より小寸であるので、水平係止部(11a)は、図３に示すように、開口内に入って、灯具取付レール(10)の内部に収まる。
【００１７】
この状態で、灯具支持金具(11)を、図２に示すように９０度水平回転させると、図４に示すように、灯具取付レール(10)の内寸幅(c)よりも短いが、これに近い寸法の長辺(d)が水平張り出し部分(10b)上に載り、灯具係止金具(11)が灯具取付レール(10)の内部に支持される。
【００１８】
このように、灯具支持金具(11)を少なくとも２個、灯具取付レール(10)に支持させ、灯具取付レール(10)の任意適当な位置に移動させて配置し、図４に示すように、その下部の前後部の灯具支持部(11b)の水平部分にそれぞれ１台ずつの灯具(５)を、図４に示す例では、前部の灯具(５)を前向きにし、サインボード(７)の直後に長めの直管形の蛍光灯(12)を取り付け、後部の灯具(５)は下向きにし、灯具支持金具(11)の下方に直管形の蛍光灯(12)を取り付ける。
【００１９】
前部の蛍光灯(12)は、後部の蛍光灯(12)とは、左右にずらして配置するとともに、図１に示すように、１単位の陳列棚(Ａ)の左右方向の長さよりも長い蛍光灯(12)を用いることができ、この前後２列の配置及び陳列棚の支柱(２)を越えていることにより、サインボード(７)の照明は、陳列棚１単位の隅部まで、均一となる。
なお、図１の例では、前後部の蛍光灯(12)は、いずれも下向きに配置されている。
【００２０】
図５の変形例では、前後部の灯具支持部(11b)は、互いに高さをずらして配置されている。
また、図示は省略してあるが、灯具支持金具(11)に、上下複数段の灯具支持部(11b)を設け、複数の灯具(５)を上下多段に支持するようにすることもできる。
【００２１】
【発明の効果】
本発明によれば、複数の灯具を簡単に支持することができるとともに、灯具の取付位置の変更やレイアウトの変更が容易に行なえる。
しかも、ねじ類を使用せずに灯具支持金具を簡単に取付けることができる。
また、本発明を陳列棚の天板装置に適用した場合には、灯具を前後、左右にずらせて配置したり、長い蛍光灯を使用したりできるので、光の連続性を確保でき、サインボードの照明むらをなくすことができる。さらに、長尺の蛍光灯の使用により使用本数を削減し、コストを抑えることができる。
【００２２】
請求項２記載の発明のように、前後２列の灯具支持部を互いに高さをずらして設けると、前後部の蛍光灯からの光を効率よくサインボードに向けることができ、万遍のない照明をすることができる。
【図面の簡単な説明】
【図１】  本発明の一実施形態を備える陳列棚の上部の分解斜視図である。
【図２】  同じく、灯具取付レール、灯具支持金具及び直管形蛍光灯の灯具の拡大分解斜視図である。
【図３】  同じく、灯具支持金具挿入直後の状態を示す、灯具取付レールの拡大断面図である。
【図４】  同じく、取付完了後の天板装置の拡大断面図である。
【図５】  灯具支持金具の変形例を示す拡大断面図である。
【図６】  従来の陳列棚の斜視図である。
【図７】  同じく、陳列棚の上部の天板装置の分解斜視図である。
【符号の説明】
(Ａ)陳列棚
(１)天板装置
(２)支柱
(2a)係合孔
(３)ブラケット
(3a)フック
(3b)サインボード取付部
(3c)溝
(４)上面板
(５)灯具
(5a)ねじ
(６)ルーバ
(７)サインボード
(８)側面カバー
(10)灯具取付レール
(10a)折れ曲がり片
(10b)水平張り出し部
(11)灯具支持金具
(11a)水平係止部
(11b)灯具支持部
(12)蛍光灯
【図１】
0003782572.tif 000002
【図２】
0003782572.tif 000003
【図３】
0003782572.tif 000004
【図４】
0003782572.tif 000005
【図５】
0003782572.tif 000006
【図６】
0003782572.tif 000007
【図７】
0003782572.tif 000008